(57)【要約】【課題】既存の放送網を利用して、配信元に応じて、特定の端末宛にデータを配信する仕組みを提供する。【解決手段】個別映像配信システム１は、携帯通信端末１０より、発信元電話番号を内包した着信を通知するための着信データを受信し、発信元電話番号に対応するＣＡＴＶ加入者装置６０を特定し、ＣＡＴＶ加入者装置６０にＣＡＴＶ放送網５０を介して、携帯通信端末１０からの着信を通知するための着信通知データを放送する。個別映像配信システム１は、ＣＡＴＶ加入者装置６０より着信通知データに応答するための着信許可データを受信することにより、携帯通信端末１０との呼を接続し、携帯通信端末１０より配信される映像データを受信して、映像データをＣＡＴＶ放送網５０を介してＣＡＴＶ加入者装置６０に送信する。【選択図】        図１
2004312283.tif 000002
【特許請求の範囲】
【請求項１】
コンテンツの配信元に固有の配信元識別情報と放送チャネルを用いて送信されたコンテンツを受信する配信先に固有の配信先識別情報とを対応付けて記憶する記憶手段と、
コンテンツを受信するコンテンツ受信手段と、
コンテンツを暗号化する暗号化手段と、
前記受信手段により受信されたコンテンツの配信元を特定する配信元特定手段と、
前記配信元特定手段により特定された配信元に対応する配信先識別情報を、前記記憶手段を用いて特定し、特定された配信先識別情報と前記受信手段により受信され前記暗号化手段により暗号化されたコンテンツとを対応付けて前記放送チャネルを用いて送信する送信手段とを有し、
前記配信先は、受信されたコンテンツに該配信先の配信先識別情報が対応付けられている場合にのみ、該受信されたコンテンツを復号する
ことを特徴とする個別配信システム。
【請求項２】
情報を受信する情報受信手段を有し、
前記送信手段は、前記配信元特定手段により特定された配信元に対応する配信先識別情報を、前記記憶手段を用いて特定し、特定された配信先識別情報と前記受信手段により受信されたコンテンツとを対応付けて蓄積手段に蓄積する一方、前記情報受信手段を用いて、該配信先識別情報で表される配信先の少なくとも１からの、該コンテンツの配信要求情報を受信すると、該コンテンツを前記蓄積手段から抽出して前記暗号化手段により暗号化し、該配信先識別情報とを対応付けて前記放送チャネルを用いて送信する
ことを特徴とする請求項１に記載の個別配信システム。
【請求項３】
前記コンテンツ受信手段は、発信者の電話番号を表す電話番号情報を着信先へ通知する通信網を介してコンテンツを受信し、
前記配信元特定手段は、前記コンテンツ受信手段によるコンテンツの受信に際して前記通信網から通知される前記電話番号情報を用いて該コンテンツの配信元を特定する
ことを特徴とする請求項１に記載の個別配信システム。
【請求項４】
前記特定された配信元からコンテンツが受信されたことを通知するための着信通知データを前記暗号化手段により暗号化し、暗号化された着信通知データと、前記配信元に対応する配信先識別情報とを対応づけて送信する着信通知送信手段を有し、
前記配信先は、受信された着信通知データに該配信先の配信先識別情報が対応付けられている場合にのみ、該受信された着信通知データを復号する
ことを特徴とする請求項１に記載の個別配信システム。
【請求項５】
前記特定された配信元からコンテンツが受信されたことを通知するための着信通知データを前記暗号化手段により暗号化し、暗号化された着信通知データと、前記配信元に対応する配信先識別情報とを対応づけて送信する着信通知送信手段を有し、
前記着信通知送信手段により前記着信通知データが送信されてから一定時間内に、前記情報受信手段により該配信先識別情報で表される配信先から、前記コンテンツの配信要求情報が受信されなかった場合に、前記コンテンツを前記蓄積手段に蓄積することを特徴とする請求項２に記載の個別配信システム。
【請求項６】
前記着信通知データには、前記配信先にテロップを表示するためのデータが内包されることを特徴とする請求項４又は５に記載の個別配信システム。
【請求項７】
前記着信通知データには、前記配信先にチャネル番号を点滅させて表示するためのデータが内包されることを特徴とする請求項４又は５に記載の個別配信システム。
【請求項８】
前記コンテンツ受信手段は、移動通信網を介してコンテンツを受信する
ことを特徴とする請求項１に記載の個別配信システム。
【請求項９】
前記送信手段は、前記特定された配信先識別情報と前記受信手段により受信され前記暗号化手段により暗号化されたコンテンツとを対応付けて有線テレビ放送のチャネルを用いて送信することを特徴とする請求項１に記載の個別配信システム。
【請求項１０】
コンテンツの配信元に固有の配信元識別情報と放送チャネルを用いて送信されたコンテンツを受信する配信先に固有の配信先識別情報とを対応付けて記憶する記憶手段と、
コンテンツを受信するコンテンツ受信手段と、
コンテンツの配信元を特定する配信元特定手段と、
前記配信元特定手段により特定された配信元に対応する配信先識別情報を、前記記憶手段を用いて特定し、特定された配信先識別情報と前記受信手段により受信されたコンテンツとを対応付けて、
前記配信先識別情報と前記コンテンツとを受信し、受信されたコンテンツを暗号化し、暗号化されたコンテンツと前記配信先識別情報とを対応付けて前記放送チャネルを用いて送信する装置に送信するコンテンツ送信手段と
を有することを特徴とする個別配信制御装置。
【請求項１１】
コンテンツを受信する第１のステップと、
前記第１のステップで受信されたコンテンツの配信元に対応する配信先を特定する一方、該コンテンツを暗号化する第２のステップと、
前記第２のステップで特定された配信先に固有の配信先識別情報と前記第２のステップで暗号化されたコンテンツとを対応付けて前記放送チャネルを用いて送信する第３のステップと
を有することを特徴とする個別配信方法。
【請求項１２】
コンピュータ装置を、
コンテンツの配信元に固有の配信元識別情報と放送チャネルを用いて送信されたコンテンツを受信する配信先に固有の配信先識別情報とを対応付けて記憶する記憶手段と、
コンテンツを受信するコンテンツ受信手段と、
コンテンツの配信元を特定する配信元特定手段と、
前記配信元特定手段により特定された配信元に対応する配信先識別情報を、前記記憶手段を用いて特定し、特定された配信先識別情報と前記受信手段により受信されたコンテンツとを対応付けて、
前記配信先識別情報と前記コンテンツとを受信し、受信されたコンテンツを暗号化し、暗号化されたコンテンツと前記配信先識別情報とを対応付けて前記放送チャネルを用いて送信する装置に送信するコンテンツ送信手段
として機能させるためのプログラム。
【発明の詳細な説明】
【０００１】
【発明の属する技術分野】
本発明は、放送網を利用したデータ配信技術に関する。
【０００２】
【従来の技術】
近年、テレビ電話機能を備えた携帯通信端末が普及しつつある。この種の携帯通信端末のユーザは、携帯通信端末を用いて被写体を撮影することで得られた映像を移動通信網経由で同種の携帯通信端末へ配信することができる。
このように、携帯通信端末を用いて得られた映像は他の携帯通信端末へ配信されることになるが、テレビ受像機へも配信することができれば、より便利である。
携帯電話機等の端末からテレビ受像機へデータを配信する技術としては、例えば、特許文献１の方法がある。
特許文献１に記載されている方法によれば、例えば、携帯電話機をデータの配信元とした場合、携帯電話機は、会員の情報が記憶されているサーバ装置にデータを送信する。サーバ装置は、当該会員の情報で識別される全ての装置（テレビ受像機や、携帯電話機や、パーソナルコンピュータ）にデータを送信する。
【０００３】
【特許文献１】
特開２００２−５７７９８号公報
【０００４】
【発明が解決しようとする課題】
しかしながら、特許文献１に記載されている方法では、サーバ装置に記憶されている会員全てにデータが送信されてしまい、送信元によって送信先を変更することはできない。すなわち、送信元に応じて、特定の会員に限定して、特定のコンテンツを送信したい場合にも、特定の会員宛にデータを送信することはできない。
【０００５】
ところで、会話型の通信サービスやインターネット接続によりコンテンツの配信等のサービスを提供する有線テレビ放送局（以後、「ＣＡＴＶ（Ｃａｂｌｅ  Ｔｅｌｅｖｉｓｉｏｎ）センタ」という）が存在する。このような通信サービスを利用すれば、携帯電話機等の通信端末から送信されたデータを特定のテレビ受像機またはパーソナルコンピュータへ配信することも可能と考えられる。
しかしながら、これを実現するためには、本来の有線テレビ放送を受信するために必要なＣＡＴＶ加入者装置（テレビ受像機と放送受信用のコンバータ）以外の装置、例えば、パーソナルコンピュータやケーブルモデム等の装置を用意する必要がある。
また、ＣＡＴＶセンタからＣＡＴＶ加入者装置にコンテンツの配信をするためには、既存の放送手段としてのＣＡＴＶ放送網の他に、ＣＡＴＶインターネット網を利用する必要がある。また、会話型の通信サービスを行うためには、ＣＡＴＶセンタとＣＡＴＶ加入者装置間で、音声を送受するために電話網を利用する必要がある。さらにまた、上記コンテンツを受信するためには、ＣＡＴＶ加入者は、通常のテレビを見るための操作以外に、例えば、パーソナルコンピュータの操作を行う必要がある。
本発明は、かかる事情に鑑みてなされたものであり、既存のＣＡＴＶ等の放送網を利用して、配信元に応じて特定の端末宛にデータを配信する仕組みを提供することを目的とする。
【０００６】
【課題を解決するための手段】
上記課題を解決するために、本発明は、コンテンツの配信元に固有の配信元識別情報と放送チャネルを用いて送信されたコンテンツを受信する配信先に固有の配信先識別情報とを対応付けて記憶する記憶手段と、コンテンツを受信するコンテンツ受信手段と、コンテンツを暗号化する暗号化手段と、前記受信手段により受信されたコンテンツの配信元を特定する配信元特定手段と、前記配信元特定手段により特定された配信元に対応する配信先識別情報を、前記記憶手段を用いて特定し、特定された配信先識別情報と前記受信手段により受信され前記暗号化手段により暗号化されたコンテンツとを対応付けて前記放送チャネルを用いて送信する送信手段とを有し、前記配信先は、受信されたコンテンツに該配信先の配信先識別情報が対応付けられている場合にのみ、該受信されたコンテンツを復号することを特徴とする個別配信システムを提供する。
【０００７】
また、本発明は、コンテンツの配信元に固有の配信元識別情報と放送チャネルを用いて送信されたコンテンツを受信する配信先に固有の配信先識別情報とを対応付けて記憶する記憶手段と、コンテンツを受信するコンテンツ受信手段と、コンテンツの配信元を特定する配信元特定手段と、前記配信元特定手段により特定された配信元に対応する配信先識別情報を、前記記憶手段を用いて特定し、特定された配信先識別情報と前記受信手段により受信されたコンテンツとを対応付けて、前記配信先識別情報と前記コンテンツとを受信し、受信されたコンテンツを暗号化し、暗号化されたコンテンツと前記配信先識別情報とを対応付けて前記放送チャネルを用いて送信する装置に送信するコンテンツ送信手段とを有することを特徴とする個別配信制御装置を提供する。
【０００８】
また、本発明は、コンテンツを受信する第１のステップと、前記第１のステップで受信されたコンテンツの配信元に対応する配信先を特定する一方、該コンテンツを暗号化する第２のステップと、前記第２のステップで特定された配信先に固有の配信先識別情報と前記第２のステップで暗号化されたコンテンツとを対応付けて前記放送チャネルを用いて送信する第３のステップとを有することを特徴とする個別配信方法を提供する。
【０００９】
また、本発明は、コンピュータ装置を、コンテンツの配信元に固有の配信元識別情報と放送チャネルを用いて送信されたコンテンツを受信する配信先に固有の配信先識別情報とを対応付けて記憶する記憶手段と、コンテンツを受信するコンテンツ受信手段と、コンテンツの配信元を特定する配信元特定手段と、前記配信元特定手段により特定された配信元に対応する配信先識別情報を、前記記憶手段を用いて特定し、特定された配信先識別情報と前記受信手段により受信されたコンテンツとを対応付けて、前記配信先識別情報と前記コンテンツとを受信し、受信されたコンテンツを暗号化し、暗号化されたコンテンツと前記配信先識別情報とを対応付けて前記放送チャネルを用いて送信する装置に送信するコンテンツ送信手段として機能させるためのプログラムを提供する。
【００１０】
本発明によれば、個別配信システムは、コンテンツを配信元より受信し、受信されたコンテンツを暗号化する。また、個別配信システムは、受信されたコンテンツの配信元を特定し、特定された配信元に対応する配信先識別情報を、記憶手段を用いて特定し、特定された配信先識別情報と暗号化されたコンテンツとを対応付けて前記放送チャネルを用いて送信する。前記配信先は、受信したコンテンツに該配信先の配信先識別情報が対応付けられている場合にのみ、該受信したコンテンツを復号する。
【００１１】
【発明の実施の形態】
以下、図面を参照して、この発明の実施形態について説明する。
［１．構成］
［１．１．システム全体の構成］
図１は、本発明の一実施形態に係る映像データをコンテンツとする個別映像配信システム１全体の構成を示すブロック図である。図１に示すように、この個別映像配信システム１は、テレビ電話機能を有する携帯通信端末１０と、発信番号の通知が可能な移動体通信網、ＩＰ（Ｉｎｔｅｒｎｅｔ  Ｐｒｏｔｏｃｏｌ）電話網及びインターネット等の各種通信網を含むネットワーク２０と、個別映像配信制御装置３０と、配信蓄積装置３１と、ＣＡＴＶセンタ４０と、ＣＡＴＶ放送網５０と、ＣＡＴＶ加入者装置６０とを備えている。
なお、図１においては、図面が繁雑になるのを避けるため、１つの携帯通信端末１０、１つのＣＡＴＶ加入者装置６０しか図示していないが、これらは実際には多数存在する。
【００１２】
ここで、ＣＡＴＶとは、同軸ケーブルを使用して番組の放送を行う有線テレビ放送である。本実施形態におけるＣＡＴＶ放送網５０は、下り（ＣＡＴＶセンタ４０から全てのＣＡＴＶ加入者装置６０）の放送回線と、上り（ＣＡＴＶ加入者装置６０からＣＡＴＶセンタ４０）の通信回線とを備えている。
これらの放送回線や通信回線には、周波数帯域が割り振られている。
例えば、放送回線には、７０〜７７０ＭＨｚの周波数帯域が割り振られ、通信回線には、１０〜５５ＭＨｚの周波数帯域が割り振られている。
また、放送回線に割り振られている周波数帯域には、各種テレビ番組のチャネルの他、携帯通信端末１０からＣＡＴＶ加入者装置６０へ映像データを送信するための映像配信用チャネル、ＣＡＴＶセンタ４０からＣＡＴＶ加入者装置６０へテロップを配信するためのテロップ配信チャネル、及び、ＣＡＴＶ加入者装置６０からの問い合わせに対して未受信映像があるか否かを通知するための問い合わせチャネルが割り振られている。
また、通信回線に割り振られている周波数帯域には、ＣＡＴＶ加入者装置６０からＣＡＴＶセンタ４０に対して、加入者が各種要求を行うための信号であるオンデマンド信号を送信するためのチャネルが割り振られている。各種要求には、例えば、映像データの着信の許可を通知するための要求、未受信の映像データの有無を確認するための要求、未受信の映像データの配信要求がある。
【００１３】
［１．２．ＣＡＴＶ加入者装置の構成］
次に、ＣＡＴＶ加入者装置６０について説明する。
ＣＡＴＶ加入者装置６０は、ＣＡＴＶ加入者宅に設置されている。ＣＡＴＶ加入者装置６０には、ＣＡＴＶ加入者がＣＡＴＶに加入するときに、ＣＡＴＶ加入者を識別するためのＣＡＴＶ加入者ＩＤが割り振られている。
ＣＡＴＶ加入者装置６０は、ＣＡＴＶ放送を受信するのための一般的な設備であるコンバータ６１と映像を表示するための受像機６２とで構成される。
【００１４】
コンバータ６１は、ＣＡＴＶセンタ４０より、ＣＡＴＶ放送網５０を介して、放送用のデータや映像データを受信し、受像機６２に映像信号を送信して映像を表示させるための装置である。
コンバータ６１には、ＣＡＴＶ加入者ＩＤを表すＣＡＴＶ加入者ＩＤデータが記憶されている。
また、コンバータ６１は、ＣＡＴＶセンタ４０より、スクランブルされたテロップ信号とＣＡＴＶ加入者ＩＤデータが付加されたスクランブル解除信号とを内包した、着信を通知するための着信通知データを受信したときに、スクランブル解除信号に付加されたＣＡＴＶ加入者ＩＤデータと、コンバータ６１に記憶されたＣＡＴＶ加入者ＩＤデータとを比較して、これらが一致している場合に、スクランブル解除信号を用いてテロップ信号のスクランブルを解除し、受像機６２にテロップを表示するためのデータを送信する。
また、コンバータ６１は、ＣＡＴＶセンタ４０よりスクランブルされた映像データとＣＡＴＶ加入者ＩＤデータが付加されたスクランブル解除信号とを受信したときに、スクランブル解除信号に付加されたＣＡＴＶ加入者ＩＤデータと、コンバータ６１に記憶されたＣＡＴＶ加入者ＩＤデータとを比較して、これらが一致している場合に、スクランブル解除信号を用いて該映像データのスクランブルを解除して、受像機６２に映像を表示させる。
【００１５】
また、コンバータ６１は、各種の要求を行うためのオンデマンド信号をＣＡＴＶセンタ４０に送信する。
例えば、コンバータ６１は、ＣＡＴＶ加入者がリモコン等を操作することによって、受像機６２に携帯通信端末１０から送信される映像の表示を許可することを示す着信許可応答データを受けとったときに、ＣＡＴＶセンタ４０宛に、配信許可応答を表すオンデマンド信号を送信する。
また、コンバータ６１は、携帯通信端末１０から送信されたにも関わらず、受像機６２に表示されていない映像データが存在するか否かを確認するための確認要求データを受けとったときに、ＣＡＴＶセンタ４０宛に、確認要求のためのオンデマンド信号を送信する。
また、コンバータ６１は、受像機６２に表示されていない映像データの配信を要求するための映像配信要求データを受けとったときに、ＣＡＴＶセンタ４０宛に、配信要求のためのオンデマンド信号を送信する。
【００１６】
［１．３．個別映像配信制御装置の構成］
次に、個別映像配信制御装置３０の構成を説明する。
図２は、個別映像配信制御装置３０のハードウェア構成を示すブロック図である。同図に示されるように、個別映像配信制御装置３０は、各部を制御するＣＰＵ３１、各種データを記憶する記憶部３２、及び、無線通信や有線通信を制御する通信インターフェース３３を備えている。
【００１７】
記憶部３２には、図３に示されるＩＤ対応データ３２１が記憶されている。
ＩＤ対応データ３２１には、発信元の携帯通信端末１０の電話番号を表す配信元電話番号データと、ＣＡＴＶ加入者装置６０を識別するためのＣＡＴＶ加入者ＩＤを表す配信先ＣＡＴＶ加入者ＩＤデータとが含まれている。
このＩＤ対応データ３２１は、ＣＡＴＶ事業者がＣＡＴＶ加入者の申請を受けることにより、ＣＡＴＶ事業者によって登録される。
具体的には、ＣＡＴＶ加入者は、携帯通信端末１０からＣＡＴＶ加入者宅に設置されているＣＡＴＶ加入者装置６０に、映像を配信することを希望又は許可する場合に、ＣＡＴＶ事業者にその旨を申請する。ＣＡＴＶ事業者は、この申請を受けて、携帯通信端末１０の電話番号とＣＡＴＶ加入者装置６０に割り振られているＣＡＴＶ加入者ＩＤとを、ＩＤ対応データ３２１として、個別配信制御装置３０の記憶部３２に登録する。
なお、本実施形態においては、配信元電話番号と配信先ＣＡＴＶ加入者ＩＤとを表すデータは１：１に対応している。
【００１８】
また、記憶部３２には、個別映像配信制御装置３０の電話番号を表す電話番号データが記憶されている。個別映像配信制御装置３０は、携帯通信端末１０から個別映像配信制御装置３０の電話番号がダイヤルされることにより、携帯通信端末１０との呼を接続して、携帯通信端末１０から送信される映像データを、回線交換による通信により、通信インターフェース３３より受信する機能を有している。
【００１９】
また、記憶部３２には、ＣＰＵ３１に実行されることにより、以下の機能を個別映像配信制御装置３０に実現させるための制御プログラムが記憶されている。（１）携帯通信端末１０より当該携帯通信端末１０の電話番号を表す発信番号データを内包した着信データを受信したときに、当該発信番号データと同一の配信元電話番号データを内包するＩＤ対応データ３２１を検索して抽出する機能。
（２）抽出されたＩＤ対応データ３２１に内包される配信先ＣＡＴＶ加入者ＩＤデータで識別されるＣＡＴＶ加入者装置６０を呼び出すことを指示するための呼出データをＣＡＴＶセンタ４０宛に送信する機能。
（３）呼出データに応答して、ＣＡＴＶセンタ４０より、映像の配信準備が完了したことを表す配信準備完了データを受信したときに、携帯通信端末１０との呼を接続し、携帯通信端末１０から受信した映像データをＣＡＴＶセンタ４０宛に送信する機能。
（４）呼出データに応答して、ＣＡＴＶセンタ４０より、一定時間（例えば、３０秒）の間にＣＡＴＶ加入者装置６０より応答がなかった（タイムアウトになった）ことを表す配信不能応答データを受信したときに、携帯通信端末１０との呼を接続し、携帯通信端末１０から受信した映像データを配信蓄積装置３１に記憶する機能。
ここで、一定時間の間に応答がなかった場合とは、ＣＡＴＶ加入者装置６０（受像機６２又はコンバータ６１）の電源が切られていた場合や、ＣＡＴＶ加入者装置６０が設置してあるＣＡＴＶ加入者宅に、人が不在であった場合が考えられる。
（５）ＣＡＴＶ加入者装置６０より、未受信の映像データがあるか否かを確認するための確認要求データを受信したときに、配信蓄積装置３１を検索することにより、ＣＡＴＶ加入者装置６０のＣＡＴＶ加入者ＩＤに対応する映像データが蓄積されているか否かを確認し、確認結果を表す確認データを送信する機能。
【００２０】
また、記憶部３２には、携帯通信端末１０やＣＡＴＶセンタ４０よりデータを受信したときに、上記制御プログラムを実行するためのプログラムが記憶されている。
【００２１】
次に、配信蓄積装置３１について説明する。
配信蓄積装置３１には、呼出データを送信してから一定時間応答がなかったために、携帯通信端末１０からＣＡＴＶ加入者装置６０に配信できなかった映像データが、ＣＡＴＶ加入者ＩＤデータと対応付けられて蓄積される。蓄積された映像データは、後日、ＣＡＴＶ加入者装置６０より配信要求があったときに配信される。
【００２２】
［１．４．ＣＡＴＶセンタの構成］
次に、ＣＡＴＶセンタ４０の構成について説明する。
ＣＡＴＶセンタ４０は、ＣＡＴＶ放送網５０を介して、全てのＣＡＴＶ加入者装置６０にテレビ番組を放送したり、特定のＣＡＴＶ加入者装置６０のみが有料放送や映像データを受信できるようにするためのサービスセンタである。
ＣＡＴＶセンタ４０には、ＣＡＴＶ放送に必要な一般的な設備が設置されている。例えば、ＣＡＴＶセンタ４０には、図示せぬ、ＢＳ放送やＣＳ放送を受信する共同体アンテナや、テレビ放送信号を変調する映像変調器、ＣＡＴＶ放送網５０へ送出する信号を混合するための混合器が備えられている。また、ＣＡＴＶセンタ４０には、図４に示すように、ＣＡＴＶ配信制御装置４１とテロッパ装置４２とＣＡＴＶ受像機制御装置４３とが備えられている。
【００２３】
［１．４．１．ＣＡＴＶ配信制御装置の構成］
次に、一般的なＣＡＴＶの設備であるＣＡＴＶ配信制御装置４１の構成について説明する。
ＣＡＴＶ配信制御装置４１は、図示せぬＣＰＵと、記憶装置と、通信インターフェースを備えている。
記憶装置には、ＣＰＵが実行することにより、以下の機能をＣＡＴＶ配信制御装置４１に実現させるためのプログラムが記憶されている。
（１）個別映像配信制御装置３０より、ＣＡＴＶ加入者装置６０を呼び出すための呼出データを受信したときに、テロッパ装置４２に対して、ＣＡＴＶ加入者装置６０に着信を知らせるためのテロップ信号を配信することを要求するためのテロップ配信要求データを送信する。
（２）ＣＡＴＶ加入者装置６０より、ＣＡＴＶ受像機制御装置４３経由で、携帯通信端末１０から映像配信の許可の応答を表すオンデマンド信号を受けとったときに、スクランブルの解除を指示するためのスクランブル解除指示データをＣＡＴＶ受像機制御装置４３に送信する。そして、個別映像配信制御装置３０に、携帯通信端末１０からの映像配信準備が完了したことを通知するための映像配信準備完了データを送信する。
（３）ＣＡＴＶ加入者装置６０から配信許可応答を表すオンデマンド信号を一定の時間内に受け取ることができなかった場合に、応答がなかったために映像データの配信ができないことを表す配信不能応答データを、個別映像配信制御装置３０に送信する。
【００２４】
［１．４．２．ＣＡＴＶ受像機制御装置の構成］
次に、ＣＡＴＶ受像機制御装置４３について説明する。
ＣＡＴＶ受像機制御装置４３は、ＣＡＴＶ加入者装置６０とのデータ送受信を制御するための装置である。例えば、ＣＡＴＶ受像機制御装置４３は、ＣＡＴＶ加入者装置６０に放送用データや映像データやスクランブル解除信号を送信し、ＣＡＴＶ加入者装置６０からオンデマンド信号を受信する機能を有する。
また、ＣＡＴＶ受像機制御装置４３は、ＣＡＴＶ配信制御装置４１よりスクランブル解除指示データを受信したときに、ＣＡＴＶ加入者装置６０のＣＡＴＶ加入者ＩＤデータを付加したスクランブル解除信号を生成する。
そして、ＣＡＴＶ受像機制御装置４３は、携帯通信端末１０より受信した映像データにスクランブルをかけ、当該スクランブルされた映像データとＣＡＴＶ加入者ＩＤデータを付加したスクランブル解除信号とを、映像配信用チャネルを用いて、全てのＣＡＴＶ加入者装置６０に放送する。
【００２５】
［１．４．３．テロッパ装置の構成］
次に、テロッパ装置４２について説明する。
テロッパ装置４２は、ＴＶ放送で一般的に用いられているテロップを受像機６２の表示部に表示するためのテロップ信号を送信する装置である。
テロッパ装置４２は、ＣＡＴＶ配信制御装置４１よりテロップ配信要求データを受信したときに、着信を通知するためのテロップ信号を生成してスクランブルをかけ、さらにＣＡＴＶ加入者ＩＤデータを付加したスクランブル解除信号を生成する機能を有する。
テロッパ装置４２は、テロップを配信するために割り当てられたチャネルであるテロップ配信チャネルを用いて、スクランブルされたテロップ信号とＣＡＴＶ加入者ＩＤデータを付加したスクランブル解除信号とを内包した着信通知データを、ＣＡＴＶ受像機制御装置４３経由でＣＡＴＶ加入者装置６０宛に送信する。
【００２６】
［１．５．携帯通信端末の構成］
次に、携帯通信端末１０の構成を説明する。
携帯通信端末１０は、映像を撮影したり他の携帯通信端末１０に配信することが可能な、いわゆるテレビ電話機能を有する携帯通信端末である。
携帯通信端末１０は、各種プログラムやデータを記憶する記憶部と、記憶部に記憶されたプログラムを読み出して実行するＣＰＵと、各種キーを備えキーの操作内容を表すデータをＣＰＵへ供給する操作部と、ＣＰＵによる制御に従い各種画面を表示する表示部と、被写体を撮像するための撮像部とを備えている。
携帯通信端末１０の記憶部には、携帯通信端末１０の加入者契約に対して割り当てられた電話番号が記憶されており、携帯通信端末１０は発呼するときに、当該電話番号を表すデータを内包した呼確立要求のためのデータを送信する。
【００２７】
［２．動作］
次に、上記構成における本実施形態の動作について、図５を参照しながら説明する。
前提として、個別映像配信制御装置３０の記憶部３２には、携帯通信端末１０の電話番号“０９０−１１１１−１１１１”と、当該携帯通信端末１０から映像の配信を希望するＣＡＴＶ加入者のＣＡＴＶ加入者ＩＤ“１１１１”を表すデータとを内包したＩＤ対応データ３２１が記憶されているものとする。
また、個別映像配信制御装置３０の電話番号は“０３−９９９９−９９９９”であるものとする。
また、全てのＣＡＴＶ加入者装置６０のうちの１つには、ＣＡＴＶ加入者ＩＤ“１１１１”を表すＣＡＴＶ加入者ＩＤデータが記憶されているものとする。
【００２８】
［２．１．受像機より応答ありの動作］
また、受像機６２やコンバータ６１には、着信通知があったときに電源が入れられており、ＣＡＴＶ加入者は、受像機６２に着信通知のためのテロップが表示されたときに、リモコンを操作して、当該着信通知に応答する操作を行ったものとする。
まず、携帯通信端末１０を所有するユーザは、携帯通信端末１０の操作部を操作することにより、個別映像配信制御装置３０の電話番号“０３−９９９９−９９９９”をダイヤルする。
これにより、携帯通信端末１０のＣＰＵは、個別映像配信制御装置３０宛に自機１０の電話番号“０９０−１１１１−１１１１”を表す電話番号データを内包した呼の確立を要求するための発信データＤ１０を送信する。
【００２９】
個別映像配信制御装置３０のＣＰＵ３１は、発信データＤ１０（以下、「着信データＤ１０」という）を受信することにより、制御プログラムを記憶部３２より読み出して実行する。そして、ＣＰＵ３１は、当該着信データＤ１０に内包された電話番号データで表される電話番号“０９０−１１１１−１１１１”に対応するＣＡＴＶ加入者ＩＤ“１１１１”で表される配信先ＣＡＴＶ加入者ＩＤデータを、ＩＤ対応データ３２１より抽出する。
ＣＰＵ３１は、配信先ＣＡＴＶ加入者ＩＤデータで識別されるＣＡＴＶ加入者装置６０を呼び出すことを要求するための呼出データＤ１１を、ＣＡＴＶセンタ４０宛に送信する。
【００３０】
ＣＡＴＶセンタ４０のＣＡＴＶ配信制御装置４１は、呼出データＤ１１を受信すると、テロッパ装置４２に対して、ＣＡＴＶ加入者装置６０の受像機６２に着信を通知するためのテロップを表示することを要求するためのテロップ配信要求データＤ１２を送信する。
【００３１】
テロッパ装置４２は、テロップ配信要求データＤ１２を受信すると、電話番号“０９０−１１１１−１１１１”で識別される携帯通信端末１０より着信があったことを通知するためのテロップ信号を生成して当該テロップ信号にスクランブルをかけ、さらにＣＡＴＶ加入者ＩＤ“１１１１”を表すＣＡＴＶ加入者ＩＤデータを付加したスクランブル解除信号を生成する。そして、テロッパ装置４２は、テロップを配信するために割り当てられたチャネルであるテロップ配信チャネルを用いて、スクランブルされたテロップ信号とＣＡＴＶ加入者ＩＤデータを付加したスクランブル解除信号とを内包した着信通知データＤ１３を、ＣＡＴＶ受像機制御装置４３経由で全てのＣＡＴＶ加入者装置６０に放送する。
【００３２】
次に、ＣＡＴＶ加入者ＩＤ“１１１１”を表すＣＡＴＶ加入者ＩＤデータが記憶されているＣＡＴＶ加入者装置６０が、着信通知データＤ１３を受信したときの動作について説明する。
ＣＡＴＶ加入者装置６０のコンバータ６１は、着信通知データＤ１３を受信し、着信通知データＤ１３に内包されているスクランブル解除信号に付加されたＣＡＴＶ加入者ＩＤデータで表されるＣＡＴＶ加入者ＩＤ“１１１１”と、コンバータ６１に記憶されているＣＡＴＶ加入者ＩＤデータで表されるＣＡＴＶ加入者ＩＤ“１１１１”とを比較する。この場合には、ＣＡＴＶ加入者ＩＤデータ同士は一致しているため、コンバータ６１は、着信通知データＤ１３に内包されているスクランブルされたテロップ信号を、スクランブル解除信号を用いて解除する。そして、コンバータ６１は、スクランブルを解除したテロップ信号を受像機６２に送信する。これにより、受像機６２の表示部には、電話番号“０９０−１１１１−１１１１”で識別される携帯通信端末１０より着信があったことを通知するテロップが表示される。
【００３３】
なお、ＣＡＴＶ加入者ＩＤ“１１１１”を表すＣＡＴＶ加入者ＩＤデータが記憶されていないＣＡＴＶ加入者装置６０に着信通知データＤ１３が送信された場合には、スクランブル解除信号に付加されたＣＡＴＶ加入者ＩＤデータで表されるＣＡＴＶ加入者ＩＤ“１１１１”と、コンバータ６１に記憶されているＣＡＴＶ加入者ＩＤデータで表されるＣＡＴＶ加入者ＩＤとは一致しないため、コンバータ６１は、テロップ信号のスクランブルを解除せず、また、テロップ信号を受像機６２に送信しない。このため、受像機６２にテロップ信号は表示されない。
【００３４】
受像機６２に表示されたテロップを見たＣＡＴＶ加入者は、リモコンを操作することにより、着信に応答する操作を行う。
これにより、コンバータ６１は、リモコンより着信に応答することを表すデータを受信し、ＣＡＴＶ加入者ＩＤデータを内包した、着信に応答する旨のオンデマンド信号である着信許可応答データＤ１４を、ＣＡＴＶセンタ４０宛に送信する。
【００３５】
ＣＡＴＶセンタ４０のＣＡＴＶ配信制御装置４１は、ＣＡＴＶ受像機制御装置４３経由で配信許可応答データＤ１４を受けとると、映像配信用チャネルを用いて配信される映像データのスクランブルの解除を指示するための、ＣＡＴＶ加入者ＩＤデータを内包したスクランブル解除指示データＤ１５を、ＣＡＴＶ受像機制御装置４３に送信する。
そして、ＣＡＴＶ配信制御装置４１は、映像配信準備が完了したことを表す映像配信準備完了データＤ１６を、個別映像配信制御装置３０宛に送信する。
ＣＡＴＶ受像機制御装置４３は、スクランブル解除指示データＤ１５を受信し、ＣＡＴＶ加入者ＩＤデータを付加したスクランブル解除信号を生成する。
【００３６】
個別映像配信制御装置３０は、映像配信準備完了データＤ１６を受信し、携帯通信端末１０との呼を接続する。
携帯通信端末１０を所有するユーザは、携帯通信端末１０の撮像部で被写体を撮影する操作を行う。
これにより、携帯通信端末１０のＣＰＵは、被写体を撮像し、撮像された映像データＤ２０を、個別映像配信制御装置３０宛に送信する。
個別映像配信制御装置３０は、携帯通信端末１０より受信した映像データＤ２０をＣＡＴＶセンタ４０宛に送信する。
【００３７】
ＣＡＴＶセンタ４０のＣＡＴＶ受像機制御装置４３は、映像データＤ２０を受信し、映像データＤ２０にスクランブルをかけることによってスクランブルされた映像データＤ２１を生成する。そして、ＣＡＴＶ受像機制御装置４３は、当該スクランブルされた映像データＤ２１と、ＣＡＴＶ加入者ＩＤデータが付加された、スクランブル化映像データＤ２１のスクランブルを解除するためのスクランブル解除信号Ｄ２２とを、全てのＣＡＴＶ加入者装置６０に放送する。
【００３８】
次に、ＣＡＴＶ加入者ＩＤ“１１１１”を表すＣＡＴＶ加入者ＩＤデータが記憶されているＣＡＴＶ加入者装置６０が、着信通知データＤ１３を受信したときの動作について説明する。
ＣＡＴＶ加入者装置６０のコンバータ６１は、スクランブルされた映像データＤ２１と、ＣＡＴＶ加入者ＩＤデータが付加されたスクランブル解除信号Ｄ２２とを受信し、スクランブル解除信号Ｄ２２に付加されたＣＡＴＶ加入者ＩＤデータで表されるＣＡＴＶ加入者ＩＤ“１１１１”と、コンバータ６１に記憶されているＣＡＴＶ加入者ＩＤデータで表されるＣＡＴＶ加入者ＩＤ“１１１１”とを比較する。この場合には、ＣＡＴＶ加入者ＩＤデータ同士は一致しているため、コンバータ６１は、スクランブルされた映像データＤ２１を、スクランブル解除信号Ｄ２２を用いて解除する。そして、コンバータ６１は、スクランブルを解除した映像データを受像機６２に送信する。
これにより、ＣＡＴＶ加入者がリモコン等を操作して、チャネルを映像配信用チャネルに切り替えると、受像機６２の表示部には、携帯通信端末１０より送信された映像データが表示される。
【００３９】
なお、ＣＡＴＶ加入者ＩＤ“１１１１”を表すＣＡＴＶ加入者ＩＤデータが記憶されていないＣＡＴＶ加入者装置６０に、スクランブルされた映像データＤ２１とスクランブル解除信号Ｄ２２とが送信された場合には、スクランブル解除信号に付加されたＣＡＴＶ加入者ＩＤデータで表されるＣＡＴＶ加入者ＩＤ“１１１１”と、コンバータ６１に記憶されているＣＡＴＶ加入者ＩＤデータで表されるＣＡＴＶ加入者ＩＤとは一致しないため、ＣＡＴＶ加入者が、映像配信用チャネルにチャネルを切り替えても、コンバータ６１は、テロップ信号のスクランブルを解除せずに、「専用利用中」の文字を受像機６２に表示する。
【００４０】
［２．２．受像機より応答なしの動作］
次に、着信通知があったときに、受像機６２に電源が入っておらず、ＣＡＴＶ加入者が着信通知に対して応答できなかった場合の動作を説明する。
【００４１】
携帯通信端末１０が個別映像配信制御装置３０宛に発信データＤ１０を送信する動作から、テロッパ装置４２が全てのＣＡＴＶ加入者装置６０に着信通知データＤ１３を放送するまでの動作は、上述した［２．１．受像機より応答あり］の動作と同様であるため、重複した説明を省略する。
【００４２】
テロッパ装置４２が、ＣＡＴＶ加入者装置６０宛に着信通知データＤ１３を送信してから一定時間内に、ＣＡＴＶ加入者装置６０より応答を受信しなかった場合に、ＣＡＴＶ配信制御装置４１は、配信不能を表す配信不能応答データＤ３０を個別映像配信制御装置３０に送信する。
【００４３】
個別映像配信制御装置３０は、配信不能応答データＤ３０を受信した後、携帯通信端末１０との呼を接続する。
次に、携帯通信端末１０を所有するユーザは、携帯通信端末１０の撮像部で被写体を撮影する操作を行う。
これにより、携帯通信端末１０のＣＰＵは、被写体を撮像し、撮像された映像データＤ４０を、個別映像配信制御装置３０宛に送信する。
個別映像配信制御装置３０は、携帯通信端末１０より受信した映像データＤ４０とＣＡＴＶ加入者ＩＤ“１１１１”を表すＣＡＴＶ加入者ＩＤデータとを対応付けて、配信蓄積装置３１に蓄積する。
【００４４】
その後、ＣＡＴＶ加入者が、ＣＡＴＶ加入者ＩＤ“１１１１”で識別されるＣＡＴＶ加入者装置６０の受像機６２の電源を入れ、未受信の映像データがあるか否かを確認するための問い合わせチャネルに切り替えて、未受信の映像データを確認するための操作を行う。
これにより、コンバータ６１は、ＣＡＴＶセンタ４０宛に、ＣＡＴＶ加入者ＩＤ“１１１１”を表すＣＡＴＶ加入者ＩＤデータを内包したオンデマンド信号である確認要求データＤ５０を送信する。
個別映像配信制御装置３０は、ＣＡＴＶセンタ４０経由で、確認要求データＤ５０を受信する。個別映像配信制御装置３０は、配信蓄積装置３１を検索することにより、ＣＡＴＶ加入者ＩＤ“１１１１”に対応する映像データが蓄積されていることを確認する。個別映像配信制御装置３０は、映像データが蓄積されていることを表す確認データＤ５１をＣＡＴＶセンタ４０に送信する。ＣＡＴＶセンタのＣＡＴＶ受像機制御装置４３は、上記と同様に、確認データＤ５１を受信し、確認データＤ５１にスクランブルをかけることによってスクランブルされた確認データＤ５２を生成する。そして、ＣＡＴＶ受像機制御装置４３は、当該スクランブルされた確認データＤ５２と、ＣＡＴＶ加入者ＩＤデータが付加されたスクランブル解除信号Ｄ５３とを、全てのＣＡＴＶ加入者装置６０に放送する。
【００４５】
ＣＡＴＶ加入者ＩＤ“１１１１”を表すＣＡＴＶ加入者ＩＤデータが記憶されているＣＡＴＶ加入者装置６０のコンバータ６１は、スクランブルされた確認データＤ５２と、ＣＡＴＶ加入者ＩＤデータが付加されたスクランブル解除信号Ｄ５３とを受信し、スクランブル解除信号Ｄ５３に付加されたＣＡＴＶ加入者ＩＤデータで表されるＣＡＴＶ加入者ＩＤ“１１１１”と、コンバータ６１に記憶されているＣＡＴＶ加入者ＩＤデータで表されるＣＡＴＶ加入者ＩＤ“１１１１”は一致しているため、コンバータ６１は、スクランブルされた映像データＤ５２を、スクランブル解除信号Ｄ５３を用いて解除する。そして、コンバータ６１は、スクランブルを解除した確認データを受像機６２に送信する。
【００４６】
これにより、受像機６２の表示部には、携帯通信端末１０より着信があったことを表す文字が表示される。次に、ＣＡＴＶ加入者は、リモコンを操作して、映像データの配信を要求するための指示を行う。
【００４７】
これにより、ＣＡＴＶ加入者装置６０のコンバータ６１は、ＣＡＴＶ加入者ＩＤ“１１１１”を表すＣＡＴＶ加入者ＩＤデータを内包した配信要求データＤ６０を個別映像配信制御装置３０宛に送信する。
【００４８】
個別映像配信制御装置３０は、配信要求データＤ６０を、ＣＡＴＶセンタ４０経由で受信する。そして、個別映像配信制御装置３０は、配信蓄積装置３１よりＣＡＴＶ加入者ＩＤ“１１１１”で表されるＣＡＴＶ加入者ＩＤデータに対応する映像データを抽出し、ＣＡＴＶ加入者ＩＤデータを付加した映像データＤ６１をＣＡＴＶ加入者装置６０宛に送信する。
【００４９】
ＣＡＴＶセンタ４０のＣＡＴＶ受像機制御装置４３は、映像データＤ６１を受信し、映像データＤ６１にスクランブルをかけることによってスクランブルされた映像データＤ６２を生成する。また、ＣＡＴＶ受像機制御装置４３は、ＣＡＴＶ加入者ＩＤデータが付加されたスクランブル解除信号Ｄ６３を生成する。そして、ＣＡＴＶ受像機制御装置４３は、当該スクランブルされた映像データＤ６２と、スクランブル解除信号Ｄ６３とを、全てのＣＡＴＶ加入者装置６０に放送する。
【００５０】
ＣＡＴＶ加入者ＩＤ“１１１１”を表すＣＡＴＶ加入者ＩＤデータが記憶されているＣＡＴＶ加入者装置６０のコンバータ６１は、スクランブルされた映像データＤ６２と、ＣＡＴＶ加入者ＩＤデータが付加されたスクランブル解除信号Ｄ６３とを受信する。スクランブル解除信号Ｄ６３に付加されたＣＡＴＶ加入者ＩＤデータで表されるＣＡＴＶ加入者ＩＤ“１１１１”と、コンバータ６１に記憶されているＣＡＴＶ加入者ＩＤデータで表されるＣＡＴＶ加入者ＩＤ“１１１１”は一致しているため、コンバータ６１は、スクランブルされた映像データＤ６２を、スクランブル解除信号Ｄ６３を用いて解除する。そして、コンバータ６１は、スクランブルを解除した映像データを受像機６２に送信する。
これにより、映像が受像機６２に表示される。
【００５１】
以上、説明したように、本発明によれば、ＣＡＴＶセンタ４０やＣＡＴＶ加入者装置６０等の既存の設備を変更することなく、携帯通信端末１０から配信された映像データを、特定の受像機６２に表示することができる。また、ＣＡＴＶ放送網５０の空きチャネルを利用して、映像データをストリーミング配信することができるため、ＣＡＴＶ放送網５０を有効に利用することができる。
【００５２】
さらに、本発明においては、映像データの受信者であるＣＡＴＶ加入者が、着信を希望又は許可する携帯通信端末１０の電話番号を予めＣＡＴＶ事業者に申請することにより、当該電話番号とＣＡＴＶ加入者ＩＤとを表すＩＤ対応データ３２１が、予め個別映像配信制御装置３０に登録されている。このため、個別映像配信制御装置３０は、着信データを受信した時に、着信データに内包される携帯通信端末１０の発信番号データから、配信先のＣＡＴＶ加入者装置の６０を識別するための配信先ＣＡＴＶ加入者ＩＤデータを特定できる。
【００５３】
さらに、ＣＡＴＶ加入者装置６０に対して、携帯通信端末１０からの着信による呼出を行う際に、ＴＶ放送で一般的に使用されているテロップ信号を用いることで、ＣＡＴＶ加入者装置６０が映像配信用チャネル以外のチャネルから情報を受信している最中であっても、「（携帯通信端末１０所有者の）誰々から着信がきています」といった内容を文字情報で受像機６２に表示することができる。
また、ＣＡＴＶ加入者は、着信に応答するときには、ＣＡＴＶ加入者装置６０のコンバータ６１用のリモコンを操作すればよいため、ＣＡＴＶ加入者は簡単な操作で映像データを受信できる。
【００５４】
また、映像データのセキュリティを確保しながら、特定の受像機６２のみに映像データを表示する手段として、ＣＡＴＶで一般的に使用されている暗号化技術であるスクランブルの解除信号を用いることにより、既存のＣＡＴＶセンタ４０やＣＡＴＶ加入者装置６０等のＣＡＴＶ設備を増設、変更することなく、安価にセキュリティを実現できる。
このように、既存のＣＡＴＶ放送網５０やＣＡＴＶ加入者装置６０を利用することで、他のパソコン等の装置や通信手段を使用することなく、特定の受像機６２に映像データを配信することができる。
【００５５】
［３．変形例］
以上、本発明の実施形態について説明したが、この実施形態はあくまでも例示であり、本発明の趣旨から逸脱しない範囲で様々な変形が可能である。変形例としては、例えば以下のようなものが考えられる。
【００５６】
（１）上記実施形態においては、ＣＡＴＶ放送網５０を利用するとして説明したが、上り方向にオンデマンド信号を送信するための通信手段を備えた放送網であれば、ＣＡＴＶ放送網５０に限定されない。例えば、ＣＡＴＶ放送網５０に代えて、デジタル地上波を用いてもよい。
（２）上記実施形態においては、ＣＡＴＶ加入者装置６０のコンバータ６１に、ＣＡＴＶ加入者を識別するためのＣＡＴＶ加入者ＩＤが割り振られているとして説明したが、例えば、加入者が、複数のＣＡＴＶ受信を行うことができる装置を所有しており、それらの複数の装置に同一の加入者ＩＤが割り振られていてもよい。
また、上記実施形態においては、加入者固有のＣＡＴＶ加入者ＩＤをコンバータ６１に記憶させ、当該ＣＡＴＶ加入者ＩＤを、映像データの配信先を識別するための情報としたが、配信先を識別するための情報は、加入者固有のＣＡＴＶ加入者ＩＤに限定されない。例えば、コンバータ６１に固有のＩＤ（例えば、コンバータ６１の製造番号）を、配信先を識別するための情報としてもよい。
【００５７】
（３）上記実施形態においては、受像機６２に携帯通信端末１０より着信があったことを通知する手段として、受像機６２の画面上にテロップを表示することとしたが、これに限定されず、音声信号を用いた呼出音を用いてもよい。また、受像機６２の表示部に表示されているチャネル番号を点滅させてもよい。また、映像データがコンバータ６１に配信されたときに、受像機６２に表示されるチャネルを強制的に映像配信用のチャネルに切り替えるようにしてもよい。
また、映像配信を有料とする場合には、映像データがコンバータ６１に配信されたときに、チャネルを個人用のペイパービューチャネル（ＰＰＶ；Ｐａｙ  Ｐｅｒ  Ｖｉｅｗ）に切り替えるようにしてもよい。
【００５８】
（４）上記実施形態においては、配信元電話番号と配信先ＣＡＴＶ加入者ＩＤとは、１：１に対応するとして説明したが、配信元電話番号に対応する配信先ＣＡＴＶ加入者ＩＤを複数設定することにより、携帯通信端末１０から、複数のＣＡＴＶ加入者の受像機６２に同一の映像データを送信するようにしてもよい。
【００５９】
この場合の動作としては、上記実施形態と同様の仕組みを利用する。
具体的には、個別映像配信制御装置３０は、携帯通信端末１０より発信データＤ１０（着信データＤ１０）を受信すると、着信データＤ１０に内包されている発信元の携帯電話番号データに対応する、複数の配信先ＣＡＴＶ加入者ＩＤデータをＩＤ対応データ３２１より抽出する。そして、個別映像配信制御装置３０は、当該抽出された複数の配信先ＣＡＴＶ加入者ＩＤデータが内包された呼出データＤ１１を、ＣＡＴＶセンタ４０に送信する。
ＣＡＴＶセンタ４０のＣＡＴＶ配信制御装置４１は、呼出データＤ１１を受信すると、テロッパ装置４２に対して、呼出データＤ１１に内包される複数の配信先ＣＡＴＶ加入者ＩＤデータで表されるＣＡＴＶ加入者装置６０の受像機６２に、着信を通知するためのテロップを表示することを要求するための、テロップ配信要求データＤ１２を送信する。
テロッパ装置４２は、テロップ配信要求データＤ１２を受信すると、着信があったことを通知するためのテロップ信号を生成してスクランブルをかけ、さらに複数のＣＡＴＶ加入者ＩＤデータが付加されたスクランブル解除信号を生成する。そして、テロッパ装置４２は、テロップを配信するために割り当てられたチャネルであるテロップ配信チャネルを用いて、スクランブルされたテロップ信号と複数のＣＡＴＶ加入者ＩＤデータを付加したスクランブル解除信号とを内包した着信通知データＤ１３を、ＣＡＴＶ受像機制御装置４３経由で全てのＣＡＴＶ加入者装置６０に放送する。
以降の動作は、上記実施形態と同様であり、スクランブル解除信号に付加された複数のＣＡＴＶ加入者ＩＤデータうちのいずれかひとつと、コンバータ６１に記憶されているＣＡＴＶ加入者ＩＤデータとが一致する受像機６２のみが、テロップを表示することができることとなる。
【００６０】
ＣＡＴＶ配信制御装置４１は、着信通知データＤ１３が送信されてから一定時間内に、１又は複数の配信許可応答データＤ１４を受信した場合に、当該配信許可応答データＤ１４に内包されているＣＡＴＶ加入者ＩＤデータを付加したスクランブル解除信号Ｄ２２と、携帯通信端末１０より受信した映像データＤ２１とを、全てのＣＡＴＶ加入者装置６０に放送する。
以降の動作は、上記実施形態と同様であり、スクランブル解除信号Ｄ２２に付加された１又は複数のＣＡＴＶ加入者ＩＤデータのうちのいずれか１つと、コンバータ６１に記憶されているＣＡＴＶ加入者ＩＤデータとが一致する受像機６２のみが映像データを表示することができる。
【００６１】
ＣＡＴＶ配信制御装置４１は、着信通知データＤ１３が送信されてから一定時間内に配信許可応答データＤ１４が送信されてこなかったＣＡＴＶ加入者装置６０があった場合には、当該ＣＡＴＶ加入者装置６０に対応するＣＡＴＶ加入者ＩＤデータを、個別配信制御装置３０に送信する。
以降の動作は、上記実施形態と同様であり、個別配信制御装置３０は、ＣＡＴＶ配信制御装置４１から受信した複数のＣＡＴＶ加入者ＩＤデータと、携帯通信端末１０より受信した映像データとを対応付けて配信蓄積装置３１に蓄積する。また、ＣＡＴＶ加入者装置６０から映像データの配信要求を行うための配信要求データを送信する時の動作は、上記実施形態と同様である。
【００６２】
このように、複数のＣＡＴＶ加入者に映像データを配信できるようにすることで、例えば、老人世帯あるいは乳幼児のいる世帯のみを対象とする健康診断開催情報案内や、同一学校に通学している世帯向けへの学校からの通知、生け花、茶道、書道等のサークル会員への指導、宗教法人会員への説法、地域における講演会や演奏会等のライブ映像等を複数のＣＡＴＶ加入者装置６０に配信することができる。
【００６３】
（５）上記実施形態においては、映像データをＣＡＴＶ加入者装置６０に配信することとしたが、配信するコンテンツは、これに限定されず、例えば、テキストデータや音声データを配信してもよい。また、配信するコンテンツは、種々の符号化や圧縮がなされていてもよい。
また、上記実施形態においては、携帯通信端末１０から映像データを配信することとして説明したが、携帯通信端末１０に限定されず、固定電話機やパーソナルコンピュータからデータを配信してもよい。パーソナルコンピュータよりデータを配信する場合には、当該パーソナルコンピュータを識別する情報は、パーソナルコンピュータに割り振られたＩＰアドレスとなる。
また、ネットワーク２０が、携帯通信端末１０のＩＤが通知されないネットワーク２０である場合には、個別映像配信制御装置３０にＷＷＷ（Ｗｏｒｌｄ  Ｗｉｄｅ  Ｗｅｂ）サーバの機能を持たせることにより、携帯通信端末１０の操作者によるログインＩＤを配信元識別情報として、映像データを個別映像配信制御装置３０にアップロードしてもよい。
また、配信するデータとしては、映像データが添付された電子メールを配信するようにしてもよい。この場合には、個別映像配信制御装置３０の記憶部３２に、電子メールの差出人アドレスとＣＡＴＶ加入者データとを対応づけたＩＤ対応データを登録しておく。そして、携帯通信端末１０やパーソナルコンピュータから送信された、電子メールに添付された動画像等の映像データを配信蓄積装置３１で蓄積して、ＣＡＴＶ加入者からの要求に応じてＣＡＴＶ加入者装置６０に配信するようにしてもよい。
【００６４】
（６）上記実施形態におけるＣＡＴＶセンタ４０が備える装置や、装置の機能は、一例であり、例えば、テロッパ装置４２がスクランブル解除信号を生成する機能を備えていなくてもよく、ＣＡＴＶ受像機制御装置４３のみでスクランブル解除信号を生成するようにしてもよい。
【００６５】
（７）上記実施形態においては、携帯通信端末１０と個別配信制御装置３０との間の通信は、回線交換であるとして説明したが、これに限定されず、パケット通信でも専用線で接続されていてもよい。
【発明の効果】
以上説明したように、本発明によれば、ＣＡＴＶ放送網５０等の放送網を介して、映像データ等の各種データを特定の受像機６２宛に配信することが可能となる。
【００６６】
【図面の簡単な説明】
【図１】本発明の実施形態に係る個別映像配信システムの構成を示すブロック図である。
【図２】同実施形態に係る個別映像配信制御装置のハードウェア構成を示すブロック図である。
【図３】同実施形態に係るＩＤ対応データのデータ構成を示す図である。
【図４】同実施形態に係るＣＡＴＶセンタの構成を示す図である。
【図５】同実施形態に係る動作を説明するためのシーケンス図である。
【符号の説明】
１０……携帯通信端末、２０……ネットワーク、３０……個別映像配信制御装置、３１……配信蓄積装置、３２１……ＩＤ対応データ、４０……ＣＡＴＶセンタ、４１……ＣＡＴＶ配信制御装置、４２……テロッパ装置、４３……ＣＡＴＶ受像機制御装置、５０……ＣＡＴＶ放送網、６０……ＣＡＴＶ加入者装置、６１……コンバータ、６２……受像機。
【図１】
2004312283.tif 000003
【図２】
2004312283.tif 000004
【図３】
2004312283.tif 000005
【図４】
2004312283.tif 000006
【図５】
2004312283.tif 000007